(57)【要約】      （修正有）【課題】細長いケーブルタイをワイヤケーブル束の周りで引き締めかつタイ尾部の一部分をケーブルタイから切り離すように構成されたツールを提供する。【解決手段】このツール（１０）は、持ち手部分（１４）および筒体部分（１６）を有するピストル形状のハウジングを含む。筒体部分（１６）内に配置された摺動機構が、ケーブルタイ（２０）の尾部を把持するように構成された把持機構（３４）と、把持機構（３４）を筒体部分（１６）の端部に向かう方向に移動させ、ケーブルタイ（２０）の尾部をタイ頭部（２８）を通じて引っ張り、それによりケーブルタイ（２０）をワイヤケーブル束（２２）の周りに締め付けるように構成された摺動体とを含む。摺動機構によって加えられる張力が所定の張力閾値に達したときにケーブルタイ（２０）への張力の印加を停止するように構成された張力調整機構と、切断機構とを含む。【選択図】図３
2017214148.tif 000002
【特許請求の範囲】
【請求項１】
細長いケーブルタイ（２０）をワイヤケーブル束（２２）の周りに締め付けるように構成されたツール（１０）であって、
持ち手部分（１４）および筒体部分（１６）を含む、ピストル形状のハウジング（１２）と、
前記筒体部分（１６）内に設けられた摺動機構とを備え、
前記摺動機構は、前記ケーブルタイ（２０）のタイ頭部（２８）と係合し、前記持ち手部分（１４）に向かう方向にトリガ（１８）が移動したことに応答して前記ケーブルタイ（２０）のタイ尾部（３０）を前記タイ頭部（２８）を通じて引っ張り、それにより前記ケーブルタイ（２０）を前記ワイヤケーブル束（２２）の周りに締め付けるように構成されており、前記タイ尾部（３０）が、前記持ち手部分（１４）とは反対側の前記筒体部分（１６）の端部に向かう方向に引っ張られることを特徴とするツール（１０）。
【請求項２】
請求項１に記載のツール（１０）であって、
前記筒体部分（１６）が、前記ワイヤケーブル束（２２）を収容するように構成された、前記筒体部分（１６）を貫いて延在する横方向スロット（２４）を画定することを特徴とするツール（１０）。
【請求項３】
請求項２に記載のツール（１０）であって、
前記筒体部分（１６）が、前記タイ頭部（２８）を通って延在する前記タイ尾部（３０）の一部分を収容するように構成された、前記横方向スロット（２４）と前記筒体部分（１６）の端部との間の長手方向スロットを画定することを特徴とするツール（１０）。
【請求項４】
請求項３に記載のツール（１０）であって、
前記摺動機構によって加えられる張力が所定の張力閾値に達したときに、前記摺動機構による前記ケーブルタイ（２０）への張力の印加を停止するように構成された、前記筒体部分（１６）内の張力調整機構（６２）と、
前記摺動機構が前記ケーブルタイ（２０）に前記張力を加えるのを前記張力調整機構（６２）が停止したときに、前記タイ頭部（２８）を通って延在する前記タイ尾部（３０）の前記部分を前記ケーブルタイ（２０）から切り離すように構成された、前記筒体部分（１６）内の切断機構（１５６）と、
をさらに備えることを特徴とするツール（１０）。
【請求項５】
請求項４に記載のツール（１０）であって、
前記トリガ（１８）が、前記筒体部分（１６）から下方に前記持ち手部分（１４）の前方に延在し、前記持ち手部分（１４）とは反対側の前記筒体部分（１６）の端部に向かって変位可能であり、また、前記摺動機構に結合された、細長い部材であることを特徴とするツール（１０）。
【請求項６】
請求項４に記載のツール（１１０）であって、
前記摺動機構に結合された動力付きアクチュエータ（１７４）をさらに備え、前記トリガ（１８）が前記動力付きアクチュエータ（１７４）を制御することを特徴とするツール（１１０）。
【請求項７】
請求項６に記載のツール（１１０）であって、
前記トリガ（１８）が、前記持ち手部分（１４）上に配置され、かつ、前記摺動機構に結合された動力付きアクチュエータ（１７４）に接続された、トリガボタン（１７６）であり、
前記動力付きアクチュエータ（１７４）が、前記トリガボタン（１７６）が作動されたときに、前記摺動機構を前記持ち手部分（１４）とは反対側の前記筒体部分（１６）の端部に向かう方向に移動させるように構成されることを特徴とするツール（１１０）。
【請求項８】
請求項７に記載のツール（１１０）であって、前記動力付きアクチュエータ（１７４）が、空気圧によって動くアクチュエータであることを特徴とするツール（１１０）。
【請求項９】
細長いケーブルタイ（２０）をワイヤケーブル束（２２）の周りで引き締め、前記ケーブルタイ（２０）からタイ尾部（３０）の一部分を切り離すように構成されたツール（１０）であって、
前記ツール（１０）は、
持ち手部分（１４）および筒体部分（１６）を含むピストル形状のハウジング（１２）と、
把持機構（３４）と摺動体（３２）とを含む摺動機構とを備え、
前記把持機構は、前記ケーブルタイ（２０）の前記タイ尾部（３０）を把持するように構成されており、
前記摺動体（３２）は、前記把持機構（３４）を前記持ち手部分（１４）とは反対側の前記筒体部分（１６）の端部に向かう方向に移動させ、前記ケーブルタイ（２０）の前記タイ尾部（３０）をタイ頭部（２８）を通じて引っ張ることにより前記ケーブルタイ（２０）に張力を加え、それにより前記ケーブルタイ（２０）を前記ワイヤケーブル束（２２）の周りに締め付けるように構成されており、
前記ツール（１０）は、また、
前記摺動機構によって加えられる張力が所定の張力閾値に達したときに、前記摺動機構による前記ケーブルタイ（２０）への前記張力の印加を停止するように構成された、張力調整機構（６２）と、
前記筒体部分（１６）内に設けられた切断機構（５６）とを備え、
前記断機構（５６）は、前記タイ頭部（２８）を通って延在する前記タイ尾部（３０）の前記部分を前記ケーブルタイ（２０）から切り離すように構成されており、
前記断機構（５６）は、前記摺動機構が前記ケーブルタイ（２０）に前記張力を加えるのを前記張力調整機構（６２）が停止したときに、前記切断機構（５６）を枢動ピン（５７）の周りで回転させるカム（３８）を有することを特徴とするツール（１０）。
【請求項１０】
請求項９に記載のツール（１０）であって、
前記筒体部分（１６）が、前記ワイヤケーブル束（２２）を収容するように構成された、前記筒体部分（１６）を貫いて延在する横方向スロット（２４）を画定することを特徴とするツール（１０）。
【請求項１１】
請求項１０に記載のツール（１０）であって、
前記筒体部分（１６）が、前記タイ頭部（２８）を通って延在する前記タイ尾部（３０）の前記部分を収容するように構成された、前記横方向スロット（２４）と前記筒体部分（１６）の端部との間の長手方向スロットを画定することを特徴とするツール（１０）。
【請求項１２】
請求項９に記載のツール（１０）であって、
前記摺動機構に結合された細長いトリガ（１８）をさらに備え、
前記トリガ（１８）が、前記筒体部分（１６）から下方に、前記持ち手部分（１４）の前方に延在しており、
トリガ枢動ピン（５４）の周りでの前記持ち手部分（１４）に向かう方向における前記トリガ（１８）の運動が、前記摺動機構を前記持ち手部分（１４）とは反対側の前記筒体部分（１６）の端部に向かう方向に移動させることを特徴とするツール（１０）。
【発明の詳細な説明】
【技術分野】
【０００１】
[0001]本発明は、ケーブルタイのための手持ち式引締めおよび切断ツールに関し、詳細には、ケーブルタイをツール操作者から離れる方向に引っ張ることによりケーブルタイを引き締める（すなわち、ケーブルタイに張力をかける）ツールに関する。
【背景技術】
【０００２】
[0002]ケーブルタイは、様々な環境および用途において広く使用されている。ケーブルタイは、例えば、複数の細長いワイヤ、自動車の配線用ハーネスで使用されるようなケーブル、または他の細長い物品を束ねるために使用され得る。ケーブルタイはまた、細長い物品を剛体構造に固定するために使用されるか、またはホース留め具として使用される場合もある。そのようなケーブルタイは、典型的には、一体のタイ頭部に通されて、束ねられる物品を取り囲む、細長いタイ尾部を含み、また、ケーブルタイ尾部は、細長い物品をきつく縛って束にするために、ケーブルタイ頭部を通じて引っ張られる。
【０００３】
[0003]現在のケーブルタイツールは、ツールが作動されるときに操作者がケーブルタイ尾部を操作者に向かって引っ張ることを必要とする。この尾部は、ワイヤタイがワイヤケーブル束の周りで予め設定された張力設定値に締め付けられるまでツール上のトリガを繰返し引くことにより、徐々に後方に引っ張られる。次いでツールは、ケーブルタイ尾部の余分な部分を自動的に切断し、作業が完了する。これらのタイプのケーブルタイツールの例は、特に、米国特許第７，１２４，７８７号、米国特許第８，９５５，５５６号、および米国特許第８，９６０，２４１号に見つけることができる。
【０００４】
[0004]アセンブリ基板に取り付けられたワイヤハーネスに付けられるケーブルタイが反対方向に向けられる、すなわち、ケーブルタイのタイ尾部が（操作者とは反対方向の）アセンブリ基板に面する、特定のケーブルタイ用途が存在する。現在入手可能なケーブルタイツールは、タイ尾部を操作者に向かう方向に引っ張ることしかできない。現在のケーブルタイツールは、そのような用途に使用される場合もあるが、操作者は、そのように配向された各ケーブルタイを付けるために、ワイヤハーネス束を捻ることによりワイヤハーネス束を向け直すことを必要とする。このことは、現在のケーブルタイツールを、操作者がそれらの用途で使用して所望の結果を得るのに、非常に扱いにくいものにし、また、人間工学の指針に適合しない場合がある。したがって、配線用ハーネスを向け直すことなしにタイ尾部が操作者とは反対の方向に向けられる、ケーブルタイを付けることが可能なケーブルタイツールが依然として望まれている。
【０００５】
[0005]背景技術の節で論じられた主題は、単に背景技術の節における言及の結果として従来技術であると見なされるべきではない。同様に、背景技術の節で述べられた問題、または背景技術の節の主題に関連する問題は、従来技術において以前から認識されていると見なされるべきではない。背景技術の節における主題は、単に異なる手法を表すにすぎず、それらの手法自体もまた、本発明とすることができる。
【先行技術文献】
【特許文献】
【０００６】
【特許文献１】米国特許第７，１２４，７８７号
【特許文献２】米国特許第８，９５５，５５６号
【特許文献３】米国特許第８，９６０，２４１号
【発明の概要】
【０００７】
[0006]本発明の第１の実施形態によれば、細長いケーブルタイをワイヤケーブル束の周りに締め付けるように構成されたツールが提供される。ツールは、持ち手部分および筒体部分を有するピストル形状のハウジングを含む。摺動機構が、筒体部分内に配置される。摺動機構は、ケーブルタイのタイ頭部と係合し、かつ、持ち手部分に向かう方向にトリガが移動したことに応答してケーブルタイのタイ尾部をタイ頭部を通じて引っ張り、それによりケーブルタイをワイヤケーブル束の周りに締め付けるように構成される。タイ尾部は、持ち手部分とは反対側の筒体部分の端部に向かう方向に引っ張られる。
【０００８】
[0007]筒体部分は、ワイヤケーブル束を収容するように構成された、筒体部分を貫いて延在する横方向スロットを画定し得る。筒体部分はまた、この横方向スロットと筒体部分の端部との間に長手方向スロットを画定し得る。長手方向スロットは、タイ頭部を通って延在するタイ尾部の一部分を収容するように構成される。
【０００９】
[0008]ツールは、摺動機構によって加えられる張力が所定の張力閾値に達したときに摺動機構によるケーブルタイへの張力の印加を停止するように構成された張力調整機構と、摺動機構がケーブルタイに張力を加えるのを張力調整機構が停止したときにタイ頭部を通って延在するタイ尾部の部分をケーブルタイから切り離すように構成された、同じく筒体部分内に配置される切断機構とをさらに含み得る。
【００１０】
[0009]トリガは、筒体部分から下方に延在しかつ持ち手部分の前方に配置された、細長い部材であり得る。トリガは、持ち手部分とは反対側の筒体部分の端部に向かって変位可能であってもよく、かつ、摺動機構に結合される。あるいは、トリガは、摺動機構に結合された動力付きアクチュエータを制御するように構成されたボタンであってもよい。動力付きアクチュエータは、空気圧で動くアクチュエータであってもよい。
【００１１】
[0010]本発明の別の実施形態によれば、細長いケーブルタイをワイヤケーブル束の周りで引き締めかつタイ尾部の一部分をケーブルタイから切り離すように構成されたツールが提供される。このツールは、持ち手部分および筒体部分を有するピストル形状のハウジングと、筒体部分内に配置された摺動機構とを含む。摺動機構は、ケーブルタイのタイ尾部を把持するように構成された歯付き把持具と、把持具を持ち手部分とは反対側の筒体部分の端部に向かう方向に移動させ、ケーブルタイのタイ尾部をタイ頭部を通じて引っ張り、それによりケーブルタイをワイヤケーブル束の周りに締め付けるように構成された摺動体とを含む。ツールはまた、摺動機構によって加えられる張力が所定の張力閾値に達したときに摺動機構によるケーブルタイへの張力の印加を停止するように構成された、張力調整機構を含む。ツールは、タイ頭部を通って延在するタイ尾部の部分をケーブルタイから切り離すように構成された、筒体部分内に配置された切断機構をさらに含む。切断機構は、摺動機構がケーブルタイに張力を加えるのを張力調整機構が停止したときに切断機構を枢動ピンの周りで回転させるカムを有する。
【００１２】
[0011]筒体部分は、ワイヤケーブル束を収容するように構成された、筒体部分を貫いて延在する横方向スロットを画定してもよい。筒体部分は、タイ頭部を通って延在するタイ尾部の部分を収容するように構成された、横方向スロットと筒体部分の端部との間の長手方向スロットをさらに画定してもよい。
【００１３】
[0012]ツールは、摺動機構に結合された細長いトリガをさらに含んでもよい。このトリガは、筒体部分から下方に、持ち手部分の前方に延在する。トリガ枢動ピンの周りでの持ち手部分に向かう方向におけるトリガの運動が、摺動機構を持ち手部分とは反対側の筒体部分の端部に向かう方向に移動させる。ツールは、持ち手部分上に配置され、かつ、摺動機構に結合された動力付きアクチュエータに接続されたトリガボタンを、代わりに含んでもよい。動力付きアクチュエータは、トリガが作動されたときに摺動機構を持ち手部分とは反対側の筒体部分の端部に向かって移動させるように構成される。動力付きアクチュエータは、空気圧で動くアクチュエータであってもよい。
【００１４】
[0013]次に、例として添付の図面を参照しながら、本発明を説明する。
【図面の簡単な説明】
【００１５】
【図１】[0014]１つの実施形態による、手動操作式のケーブルタイ引締めおよび切断ツールの側面図である。
【図２】[0015]１つの実施形態による、ワイヤ束がハウジングの筒体部分を貫通する横方向スロット内に配置されている、図１のツールの側面斜視図である。
【図３】[0016]１つの実施形態による、トリガが初期位置にある、図１のツールの側面破断図である。
【図４】[0017]１つの実施形態による、図１のツールのトリガの斜視図である。
【図５】[0018]１つの実施形態による、トリガが図３の初期位置にある、図１のツールのタイ把持爪の側面図である。
【図６】[0019]１つの実施形態による、トリガが第１の中間位置にある、図１のツールの側面図である。
【図７】[0020]１つの実施形態による、トリガが第２の中間位置にある、図１のツールの側面図である。
【図８】[0021]１つの実施形態による、トリガが最終位置にある、図１のツールの側面図である。
【図９】[0022]１つの実施形態による、自動操作式のケーブルタイ引締めおよび切断ツールの側面破断図である。
【発明を実施するための形態】
【００１６】
[0023]本明細書の開示は、当業者が本発明を実践することを可能にするために詳述され、正確であるが、本明細書において開示される物理的実施形態は、他の特定の構造においても具現化され得る本発明を例証するものにすぎない。好ましい実施形態が説明されてきたが、詳細は、本発明から逸脱することなく変更され得る。
【００１７】
[0024]本発明の例示的な実施形態の説明が以下に続く。
[0025]次に、図面、特に図１〜８を参照すると、本発明の原理を組み込んでいる手動操作式のツール１０の非限定的な例が、ピストルまたは銃の形態をなすハウジング１２を有するものとして示されている。図１に示されるように、ツール１０は、握把または持ち手部分１４、持ち手部分１４から突出する筒体部分１６、およびトリガ１８を有する。トリガ１８は、使用者の手（図示せず）に自然に収まる、持ち手部分１４の前方で筒体部分１６の下方に配置される。
【００１８】
[0026]ツール１０は、典型的には、ワイヤケーブルなどのような細長い束２２の周りにケーブルタイ２０を取り付けるために使用される。背景技術で述べたように、ケーブルタイ２０は、様々な環境および用途において幅広く使用されており、例えば、図に示されるように、複数の細長いワイヤ、ケーブル、または他の細長い物品を束ねるために使用され得る。図２に示されるように、筒体部分１６の底縁部２６にある横方向スロット２４が、ケーブルタイ２０が束２２の周りに締め付けられるときに細長い束２２を収容するように構成されている。
【００１９】
[0027]しかし、本発明のツール１０は、細長い物品を剛体構造に固定することなどの他の用途においてケーブルタイ２０を固定するために使用されてもよく、または、非限定的な例として、ホース留め具（図示せず）として使用されてもよいことが、理解されるべきである。
【００２０】
[0028]図２に示されるように、ケーブルタイ２０が、タイ頭部２８およびタイ尾部３０を含む。ツール１０は、ケーブルタイ２０のタイ尾部３０を把持し、所定の張力閾値が達せられるまで、タイ尾部３０を、頭部２８を通じて、持ち手部分１４から離れる方向Ｆに引っ張る。次いでツール１０は、タイ頭部２８に隣接するタイ尾部３０の余分な部分を自動的に切断する。これは、ケーブルタイ２０が、ケーブルタイ２０のタイ尾部３０がアセンブリ基板に面する方向、すなわち操作者から離れる方向に向けられたときに、ワイヤケーブル束２２を捻ってタイ尾部３０をツール１０で把持することなしに、アセンブリ基板に取り付けられたワイヤケーブル束２２（例えば、ワイヤハーネス組立体）にケーブルタイ２０を付けることを可能にする。
【００２１】
[0029]図３〜８で明らかなように、一方のハウジング側壁は、反対側のハウジング側壁ならびに本ツール１０の内部部品および機構を示すために、切り取られている。ツール１０は、一般に、ツール１０の筒体部分１６内に配置された摺動板３２（図５参照）の形態をなす往復摺動機構を含む。摺動板３２は、ケーブルタイ２０のタイ尾部３０を把持するための、図示されたタイ把持爪３４などの把持機構３４をさらに含む。摺動板３２は、カム枢動ピン４０によりトリガ１８に取り付けられたカム３８により、筒体部分１６内で前方向Ｆに押される。摺動板３２は、筒体部分１６に取り付けられた戻しばね４２により、後方向Ｒに引っ張られる。本明細書において、持ち手部分１４とは反対側の筒体部分の端部４４に向かう方向が前方と呼ばれ、持ち手部分１４に隣接する筒体部分の端部４６に向かう方向が後方と呼ばれる。
【００２２】
[0030]図４に示されるように、トリガ１８は、筒体部分１６の下方に、持ち手部分１４の前方に突出する、トリガ持ち手部分４８を有する。トリガ１８はまた、概ね平行な２つのアーム５２を有するＵ字形かぎまたは又付き部分５０を有する。カム３８およびカム枢動ピン４０は、これら２つのアーム５２の間に配置される。トリガ１８は、トリガ持ち手部分４８とトリガ又付き部分５０との中間の位置において、トリガ枢動ピン５４によりハウジング１２に取り付けられる。
【００２３】
[0031]カム３８はまた、切断枢動ピン５７により筒体部分１６に取り付けられたアームである、切断機構５６と接触する。切断機構５６は、前方端部上に刃部材５８を有し、かつ、その後方端部上でコイルばね６０の形態をなす引張りばね６０に取り付けられる。
【００２４】
[0032]動作にあたっては、摺動板３２は、把持されたタイ尾部３０を、所定の張力まで前方に引っ張る。所定の張力に達すると、カム３８は、切断機構５６を作動させて、刃部材５８により、タイ頭部２８に近接したタイ尾部３０を切断させる。所定の張力は、ツール１０の持ち手部分１４内に配置された張力調整機構６２を通じて設定または調整される。次に、ツール１０の構造および動作について、より詳細に説明する。
【００２５】
[0033]図３に示されるように、初期トリガ位置Ａでは、カム３８の前方表面６４が、摺動板３２の摺動カム表面６６とほぼ接触または接触し、カム３８の後方表面６８が、切断機構５６の切断カム表面７０と接触する。切断カム表面７０は、引張りばね６０により、後方表面６８と接触して保持されている。引張りばね６０により切断機構５６に加えられる力の量は、ばねの端部とツール１０の持ち手部分１４との間に取り付けられた調整ねじ６２を回すことによって調整できる。
【００２６】
[0034]図５に示されるように、トリガ１８がまだ初期位置Ａにある間は、爪枢動ピンにより摺動板３２に取り付けられたタイ把持爪３４は、筒体部分１６に取り付けられかつ横方向スロット２４の前方縁部上に配置された、爪止め３６に係合する。爪止めとの係合により、タイ把持爪３４は筒体部分１６の下方縁部から離れる方向に回転され、それにより、横方向スロット２４から筒体部分１６の前方端部まで延在する長手方向スロットに、タイ尾部３０を挿入することが可能になる。図５に示されるように、タイ把持爪３４は、ねじりばねを含み、このねじりばねは、爪枢動ピンの周りに巻かれて、摺動板３２がタイ把持爪３４を図６における前方向Ｆに移動させて爪止め３６との係合を外すときに、タイ把持爪３４を筒体部分１６の下方縁部に向かって回転させてタイ尾部３０と接触させる。タイ把持爪３４は、横方向の歯（セレーション）を有して、タイ尾部３０の確実な把持を提供する。
【００２７】
[0035]図６に示されるように、トリガ１８は、持ち手に向かって矢印Ｒの方向に引かれるときに、第１の中間位置Ｂに位置する。トリガ１８は、トリガ枢動ピン５４の周りを動き、カム枢動ピン４０は、前方向Ｆに動かされて、カム３８の前方表面６４を摺動板３２の摺動カム表面６６に押し付け、かつ、摺動板３２を筒体部分１６内で前方向Ｆに持ち手部分１４から離れる方向に移動させる。
【００２８】
[0036]トリガ１８が、持ち手部分１４に向かって図６における矢印Ｒの方向にさらに引かれると、カム３８の前方表面６４は、摺動板３２の摺動カム表面６６に抗して押され、
摺動板３２は、筒体部分１６内で前方向Ｆに押され続ける。一方で、タイ把持爪３４は、ケーブルタイ２０がワイヤケーブル束２２の周りに締め付けられるにつれて、タイ尾部３０を、持ち手部分１４から離れる方向に引っ張る。カム３８が前方向Ｆに動くときに、引張りばね６０は、切断機構５６の切断カム表面７０をカム３８の後方表面６８と接触させ続ける。
【００２９】
[0037]図７に示されるように、トリガ１８が持ち手に向かって矢印Ｒの方向に引かれるときに第２の中間位置Ｃに移動すると、ケーブルタイ２０の張り具合は、所定の張り具合閾値に達する。持ち手部分１４に向かうトリガ１８のさらなる移動は、もはやカム３８により、摺動板３２を前方向Ｆに押させなくなる。むしろ、トリガ１８のさらなる移動は、カム３８をカム枢動ピン４０の周りで矢印ＣＣＷによって示された反時計方向に回転させる。
【００３０】
[0038]図８に示されるように、カム３８が反時計方向ＣＣＷに回転するときに、カム３８の後方表面６８は、切断機構５６の切断カム表面７０に沿って摺動し、後方表面６８は、切断機構５６の切断カム表面７０に係合する。カム３８が回転するにつれて、後方表面６８は、切断機構５６の後方端部を持ち上げて、切断機構５６を切断枢動ピン５７の周りで反時計方向に回転させ、それにより、切断機構５６の前方端部上の刃部材５８を、筒体部分１６の下方表面２６と接触させ、したがって、タイ尾部３０の部分をケーブルタイ２０から切り離す。タイ尾部３０が切り離されると、トリガ１８は、最終位置Ｄに達する。
【００３１】
[0039]予め設定される閾値は、引張りばね６０の張力を増減させる調整ねじ６２によって設定される。引張りばね６０の張力が減少されると、張力閾値が下げられ、引張りばね６０の張力が増大されると、張力閾値が高められる。
【００３２】
[0040]トリガ１８が解放されると、戻しばね４２は、摺動板３２を後方向Ｒに引っ張り、また、トリガ１８を、図３に示された初期位置Ａへ持ち手部分１４から離れる方向に引っ張る。また、トリガ１８が解放されると、引張りばね６０は、カム３８を回転させて図３に示されたその初期位置に戻し、この初期位置では、前方表面６４は、摺動カム表面６６と接触し、後方表面６８は、切断カム表面７０と接触する。
【００３３】
[0041]図８に示されるように、ツール１０はまた、摺動板３２とハウジング１２の筒体部分１６との中間に配置された、金属薄板材料で形成されたすり板４４を組み込む。すり板４４は、摺動板３２がハウジング１２内で移動するときに、ハウジング１２の摩耗を減らすように構成される。
【００３４】
[0042]図１〜８に示されたツール１０は、持ち手部分１４の前方に配置されたトリガ１８を有するが、ツールの他の実施形態は、持ち手部分１４の後方に配置されたトリガを含むことが想定され得る。それらの実施形態はまた、持ち手に向かうトリガの運動をカム３８の前方運動に変換するために、機械的なリンク機構を含むであろう。
【００３５】
[0043]本発明の原理を組み込んでいる自動式のツール１１０の非限定的な例が、図９に示されている。図９で分かるように、自動式のツール１１０の構成は、前述の手動操作式のツール１０の構成に非常に類似している。各要素の参照番号は、手動操作式のツール１０のそれらと、１００だけ異なって類似している。手動操作式のツール１０と自動式のツール１１０との間の主な違いは、トリガ１８の持ち手部分１４が除去されること、および、トリガ又付き部分１５０に取り付けられた空気圧によって動くシリンダ１７４が追加されることである。空気供給源（図示せず）と空気圧シリンダ１７４との間の弁を制御するトリガボタン１７６もまた、自動式のツール１１０に組み込まれる。
【００３６】
[0044]動作にあたっては、トリガボタン１７６は、空気圧シリンダ１７４への空気弁を開くために押されて、空気圧シリンダ１７４内のシリンダ（図示せず）が加圧され、又付きトリガ部分１５０に取り付けられた空気圧シリンダ１７４のアクチュエータロッド１７８が前方に付勢される。カムピボット１４０は、カム１３８を前方に押し、それにより、摺動板１３２が前方に押され、ツール１１０は、アクチュエータロッド１７８が摺動板１３２を前方に押すので、手動のツール１０と同じように動作する。ケーブルタイ２０が摺動板１３２によって引き締められ、タイ尾部３０が切断機構１５６によって切り離された後、トリガボタン１７６が解放されて、空気弁が閉じられ、シリンダが減圧される。次いで、戻しばね１４２は、摺動板１３２を後方向Ｒに引っ張り、引張りばね１６０が、カム１３８を回転させてその初期位置Ａに戻し、この初期位置Ａでは、前方表面１６４は、摺動カム表面１６６と接触し、後方表面１６８は、切断カム表面１７０と接触する。アクチュエータロッド１７８もまた、戻しばね１４２によってその初期位置Ａに戻されてもよく、または、空気圧シリンダ１７４は、シリンダが減圧されたときにアクチュエータロッド１７８をその元の位置まで戻すように構成された第２の戻しばね（図示せず）を含んでもよい。
【００３７】
[0045]自動式のルール１１０の代替的実施形態は、トリガボタン１７６が液圧弁を作動させる直線液圧アクチュエータ、または、トリガボタン１７６が電気スイッチを作動させる直線電動アクチュエータを用いる場合がある。
【００３８】
[0046]したがって、ツール１０が、細長いケーブルタイ２０をワイヤケーブル束２２の周りに締め付けるように構成される。このツール１０は、ケーブルタイ２０のタイ尾部３０を、ツール１０の持ち手部分１４から離れる方向に引っ張り、それにより、タイ尾部３０が作業者から離れる方向にタイ頭部２８から突出しているときに、タイ尾部３０をケーブルタイ引締めツール１０で把持するために作業者が配線用ハーネスを捻る必要なしに、組立作業者が、自動車の配線用ハーネスなどのワイヤケーブル束２２の周りでケーブルタイ２０を引き締めることを可能にする便益が提供される。ツール１０は、ケーブルタイ２０が配線用ハーネスの周りで引き締められるときに配線用ハーネスを収容するために、筒体部分１６を切り抜いた横方向スロット２４を有する。筒体部分１６はまた、タイ尾部３０が容易にタイ把持爪３４と係合されることを可能にするために、横方向スロット２４から筒体部分１６の端部まで延在する長手方向スロットを有する。ツールは、手動で作動されてもよく、または自動で作動されてもよい。
【００３９】
[0047]本発明はその好ましい実施形態に関して説明されたが、そのように限定されることは意図されておらず、以下の特許請求の範囲に記載の範囲にのみ限定される。さらに、第１の、第２の、などの用語の使用は、何らかの重要性の順序を示すものではなく、むしろ、第１の、第２の、などの用語は、１つの要素を他の要素と区別するために使用される。さらに、１つの（ａ、ａｎ）などの用語の使用は、数量の制限を示すものではなく、言及された品目の少なくとも１つの存在を示すものである。さらに、上方、下方、前方、および後方などの位置に関する用語の使用は、絶対的な位置または配向を示すものではなく、１つの要素の他の要素に対する相対的な位置または配向を示すものである。
【符号の説明】
【００４０】
１０  手動操作式のツール
１２  ハウジング
１４  持ち手部分
１６  筒体部分
１８  トリガ
２０  ケーブルタイ
２２  細長い束、束、ワイヤケーブル束
２４  横方向スロット
２６  底縁部、下方表面
２８  タイ頭部、頭部
３０  タイ尾部
３２  摺動板
３４  把持機構、タイ把持爪
３６  爪止め
３８  カム
４０  カム枢動ピン
４２  戻しばね
４４  筒体部分の端部、すり板
４６  筒体部分の端部
４８  トリガ持ち手部分
５０  又付き部分、トリガ又付き部分
５２  アーム
５４  トリガ枢動ピン
５６  切断機構
５７  切断枢動ピン
５８  刃部材
６０  引張りばね、コイルばね
６２  張力調整機構、調整ねじ
６４  前方表面
６６  摺動カム表面
６８  後方表面
７０  切断カム表面
１１０  自動操作式のツール
１３２  摺動板
１３８  カム
１４０  カムピボット
１４２  戻しばね
１５０  トリガ又付き部分、又付きトリガ部分
１５６  切断機構
１６０  引張りばね
１６４  前方表面
１６６  摺動カム表面
１６８  後方表面
１７０  切断カム表面
１７４  空気圧シリンダ
１７６  トリガボタン
１７８  アクチュエータロッド
【図１】
2017214148.tif 000003
【図２】
2017214148.tif 000004
【図３】
2017214148.tif 000005
【図４】
2017214148.tif 000006
【図５】
2017214148.tif 000007
【図６】
2017214148.tif 000008
【図７】
2017214148.tif 000009
【図８】
2017214148.tif 000010
【図９】
2017214148.tif 000011
【外国語明細書】
2017214148000001.pdf